(57)【要約】本発明は、車両シート（５）用のシート構造物であって、少なくとも一つの第１フレーム要素（２）を有するシート構造物に関する。当該シート構造物は、少なくとも一つの第１フレーム要素からモジュラー式に構成され、モジュラーシートカバーに接続することができる。さらには、フレーム要素の一体部材として設計され、少なくとも、シート被覆材を固定するフック形状受容要素（８）として構成される。
2016529158.tif 000002
【特許請求の範囲】
【請求項１】
車両シート（５）用のシート構造物（１）であって、
前記シート構造物（１）は、
少なくとも一つの第１フレーム要素（２）を有し、
前記少なくとも一つの第１フレーム要素（２）からモジュラー式に構成され、
モジュラー式のシート被覆材（７）に接続可能であり、
前記シート被覆材（７）を固定するための少なくとも一つのフック形状の受容要素（８）が前記第１フレーム要素（２）に一体的に形成されるシート構造物（１）。
【請求項２】
車両シート（５）用のシート構造物（１）であって、
前記シート構造物（１）は、互いに対して一定角度に配列された少なくとも一つの第１フレーム要素（２）及び少なくとも一つの第２フレーム要素（３）を含み、
前記シート構造物（１）はさらにブリッジ部品（４）を有し、
前記第１フレーム要素（２）及び前記第２フレーム要素（３）は前記ブリッジ部品（４）によって互いに接続され、
シート被覆材（７）を固定するための少なくとも一つのフック形状の受容要素（８）が、前記ブリッジ部品（４）に一体的に、前記第１フレーム要素（２）に一体的に、及び／又は前記第２フレーム要素（３）に一体的に形成されるシート構造物（１）。
【請求項３】
前記ブリッジ部品（４）は、第１及び第２フレーム要素（２、３）を互いに接続するコーナー接続器を含む請求項２に記載のシート構造物（１）。
【請求項４】
前記第１及び第２フレーム要素（２、３）は実質的に直角に整合され、
前記ブリッジ部品（４）は、前記第１及び第２フレーム要素（２、３）の端領域を受容するべく一側が開口したクリップを含む請求項３に記載のシート構造物（１）。
【請求項５】
前記第１フレーム要素（２）及び／又は前記第２フレーム要素（３）は中空断面体として設計される請求項１から４のいずれか一項に記載のシート構造物（１）。
【請求項６】
前記中空断面体は、曲がった板状材料から、特に金属板から製造され、
特に、前記中空断面体は、前記板状材料のロール成形及び／又はスタンピングによって作られる請求項５に記載のシート構造物（１）。
【請求項７】
前記板状材料のフランジには角度が付けられ、
角度が付けられた前記フランジは前記受容要素（８）を取り囲む請求項６に記載のシート構造物（１）。
【請求項８】
前記シート構造物（１）は、さらなる第１フレーム要素（２）、さらなる第２フレーム要素（３）、及び／又はさらなるブリッジ部品（４）を有する請求項１から７のいずれか一項に記載のシート構造物（１）。
【請求項９】
前記シート構造物（１）は、前記第１フレーム要素（２）、前記第２フレーム要素（３）、前記ブリッジ部品（４）、さらなる第１フレーム要素（２）、さらなる第２フレーム要素（３）、及び／又はさらなるブリッジ部品（４）からモジュラー式に構成される請求項１から８のいずれか一項に記載のシート構造物（１）。
【請求項１０】
請求項１から９のいずれか一項に記載のシート構造物（１）を有する車両シート（５）であって、
前記車両シート（５）はシート被覆材（７）を有し、
前記シート被覆材（７）は、少なくとも一つの固定フック（９）によって前記受容要素（８）の少なくとも一つに固定される車両シート（５）。
【請求項１１】
前記シート被覆材（７）及び前記シート構造物（１）間には発泡体クッション（６）の少なくとも一部が配列される請求項１０に記載の車両シート（５）。
【請求項１２】
特に請求項１０又は１１のいずれかに記載された車両シート（５）を製造する方法であって、
第１方法ステップにおいて第１フレーム要素（２）が利用可能とされ、
第２方法ステップにおいて前記第１フレーム要素（２）が一定長さに切断され及び／又は曲げられ、
第４方法ステップにおいてシート被覆材（７）が、前記シート被覆材（７）に接続された固定フック（９）を、前記第１フレーム要素（２）に一体的に形成された受容要素（８）に係止することによって嵌められる方法。
【請求項１３】
特に請求項１０又は１１のいずれかに記載された車両シート（５）を製造する方法であって、
第１方法ステップにおいて第１フレーム要素（２）及び第２フレーム要素（３）が利用可能とされ、
第２方法ステップにおいて前記第１フレーム要素（２）及び／又は前記第２フレーム要素（３）は一定長さに切断され、
第３方法ステップにおいて前記第１フレーム要素（２）及び前記第２フレーム要素（３）は互いに一定角度をなして、ブリッジ部品（４）によって接続され、
第４方法ステップにおいてシート被覆材（７）が、前記シート被覆材（７）に接続された固定フック（９）を、前記第１フレーム要素（２）に一体的に、前記第２フレーム要素（３）に一体的に、及び／又は前記ブリッジ部品（４）に一体的に形成された受容要素（８）に係止することによって嵌められる方法。
【請求項１４】
前記第１及び／又は第２フレーム要素（２、３）は、第１方法ステップにおいて板状材料をロール成形及び／又はスタンピングすることによって中空断面体の形態に製造される請求項１２又は１３に記載の方法。
【発明の詳細な説明】
【技術分野】
【０００１】
本発明は、請求項１のプリアンブルに記載の車両シート用シート構造物をはじめとする。
【背景技術】
【０００２】
かかるシート構造物は広く知られ、車両乗員の体重を受け入れ、当該車両乗員を、例えば事故事象の場合に保持及び保護する。かかるシート構造物には一般に、シートカバーが設けられる。車両シートは一方で、車両乗員の乗車快適性及び安全性双方にとって極めて重要であるが、他方では、車両シートの製造コストを低減させる努力が続いている。コストを低減させる一つの可能性は、異なる車両タイプに対して一貫して当該車両シートの同じシート構造物を使用することにある。しかしながら、このアプローチは、いつも可能とは限らない。シート構造物の寸法は、対応する車両タイプの利用可能空間に整合させる必要があるからである。シート構造物にとって利用可能な対応搭載空間は、車両タイプごとに大きく変わる。したがって、シート構造物及び当該シート構造物の対応する被覆材又はカバーは双方とも、常に異なる寸法に整合させなければならない。かかる整合は、多大な努力及び追加的なコストによって初めて可能となる。
【先行技術文献】
【特許文献】
【０００３】
【特許文献１】特開平１１−２４４０８８号公報
【特許文献２】特開平１１−２４５６９２号公報
【特許文献３】独国特許出願公開第１０２０１０００７６８５（Ａ１）号明細書
【特許文献４】特開２０１３−８５６０１号公報
【発明の概要】
【発明が解決しようとする課題】
【０００４】
したがって、本発明の目的は、複数の異なる車両タイプにおいて使用できる車両シート用シート構造物を利用可能とし、シート被覆材による単純な被覆を許容し、ひいては相対的に低いコストの車両シート製造を保証することにある。
【課題を解決するための手段】
【０００５】
この目的は、車両シート用のシート構造物であって、当該シート構造物は、少なくとも一つの第１フレーム要素を有し、当該少なくとも一つの第１フレーム要素からモジュラー式に構成されてモジュラーシート被覆材に接続可能であり、さらには、当該第１フレーム要素には、シート被覆材を固定する少なくとも一つのフック形状受容要素が一体的に形成されるシート構造物によって達成される。
【０００６】
先行技術と比べ、本発明に係るシート構造物は、シート構造物が第１フレーム要素からモジュラー式に構成される点と、シート構造物に接続されるシート被覆材をモジュラー設計にできる点との双方により、結果的な車両シートを低コストに製造することができ、特に、異なる車両タイプに柔軟に整合させることができるとの利点を有する。これは、シート被覆材が簡単かつ柔軟に固定され得る受容要素が、第１フレーム要素に設けられるとの事実のおかげで達成される。シート構造物は好ましくは、車両シートの着座面及び／又はバックレストを含む。
【０００７】
上記目的はさらに、車両シート用のシート構造物であって、互いに対して一定角度に配列された少なくとも一つの第１フレーム要素と少なくとも一つの第２フレーム要素とを有し、当該シート構造物はさらに、第１フレーム要素と第２フレーム要素とを互いに接続させるブリッジ部品を含み、さらには、ブリッジ部品に一体的に形成され、第１フレーム要素に一体的に形成され、及び／又は第２フレーム要素に一体的に形成されたシート被覆材固定用の少なくとも一つのフック形状受容要素をも含むシート構造物によって達成される。
【０００８】
先行技術と比べ、本発明に係るシート構造物は、一方においてはブリッジ部品によって第１及び第２フレーム要素が互いに接続されることにより、シート部品のサイズが、単に第１及び第２フレーム要素を適切な長さに切断することによってモジュラー式に調整され、ひいては任意の車両タイプに整合可能とされるとの利点を、他方では受容要素によって、シート被覆材が、シート部品の任意の寸法の場合でも容易に取り付け可能となるとの利点を有する。これにより、極めて多様な車両タイプにおいて使用可能なモジュラー構成のシート構造物が得られるので、低い製造コストが保証される。特に、第１及び第２フレーム要素が、互いに対して実質的に直角に整合され、ひいては、着座平面又はバックレスト平面を含むのが好ましい構造物平面を画定する。シート構造物は好ましくは、車両シートの着座面及び／又はバックレストを含む。
【０００９】
本発明の有利な実施形態及び進展を、従属項に及び図面を参照する記載に見出すことができる。
【００１０】
本発明の好ましい実施形態によれば、ブリッジ部品は、第１及び第２フレーム要素を互いに接続させるコーナー接続器を含むことが予想される。第１及び第２フレーム要素それぞれを、コーナー接続器によって組み付け可能となることが考えられるので、シート構造物をモジュラー式に構成することが特に単純な態様で可能となる。加えて、組み付けられた部品は、好ましくはレーザ溶接又はシールドアーク溶接によって、一緒に溶接されるのが好ましい。代替的に、接着剤結合も考えられる。
【００１１】
本発明の好ましい実施形態によれば、第１フレーム要素及び／又は第２フレーム要素は、中空断面体として設計されることが予想される。この場合、ブリッジ部品はいずれの場合も、一部が中空断面体の中に挿入されるのが有利である。これにより、形状嵌め及び／又は圧力嵌めによる相対的に強い接続がもたらされる。中空断面体は好ましくは、曲がった板状材料から、特に金属板から製造される。特に、中空断面体は、板状材料のロール成形及び／又はスタンピングによって製造される。このようにして、相対的に頑強なフレーム要素の低コストな製造が可能となる。
【００１２】
本発明の好ましい実施形態によれば、板状材料のフランジに角度が付けられ、その角度が付けられたフランジが受容要素を取り囲むことが予想される。特に、いずれの場合も板状材料の一つのみのフランジに角度が付けられ、ひいては、シート被覆材に接続された固定フックを、角度が付けられたフランジ片に係止し、単純な態様でシート被覆材をシート構造物に固定しかつ引き伸ばすことが可能となる。クッションとしての発泡体材料はさらに、シート被覆材、特に柔軟な大面積シートカバーと、シート構造物との間に挿入されるのが好ましい。
【００１３】
本発明の好ましい実施形態によれば、シート構造物が、さらなる第１フレーム要素、さらなる第２フレーム要素、及びさらなるブリッジ部品を有することが予想される。このようにして、シート構造物のようなフレーム、特に閉止フレームを形成し、その寸法及び形状を、各車両タイプの個々の状況に対してモジュラー式に整合させることができる。この場合、フレーム要素は特に、シート構造物の少なくともコーナー領域において、ブリッジ部品によって互いに接続される。すなわち、シート構造物は特に、第１フレーム要素、第２フレーム要素、ブリッジ部品、さらなる第１フレーム要素、さらなる第２フレーム要素、及び／又はさらなるブリッジ部品から、モジュラー式に構成される。
【００１４】
シート被覆材も同様に、モジュラー設計又は交換可能としてシート構造物に接続される。
【００１５】
本発明はさらに、本発明に係るシート構造物を有する車両シートであって、固定フックによって少なくとも一つの受容要素に固定されるシート被覆材を有する車両シートに関する。有利には車両シートは、相対的に低いコストで製造することができ、そのモジュラー構成のおかげにより、任意の搭載空間構成に柔軟に整合させることができる。好ましくは発泡体クッションが、車両シートにパッドを与えるべくシート被覆材及びシート構造物間に配列される。上述したシート構造物のモジュラー性及びシート被覆材のモジュラー性により、本発明に係る車両シートは有利なことに、低コストで製造して特定車両タイプの任意の所望搭載空間構成に整合させることができる。
【００１６】
本発明はさらに、車両シート、特に本発明に係る車両シートを製造する方法であって、第１方法ステップにおいて第１フレーム要素及び第２フレーム要素が利用可能とされ、第２方法ステップにおいて第１フレーム要素及び／又は第２フレーム要素は一定長さに切断され、第３方法ステップにおいて第１フレーム要素及び第２フレーム要素は互いに一定角度をなして、ブリッジ部品によって接続され、第４方法ステップにおいてシート被覆材が、当該シート被覆材に接続された固定フックを、第１フレーム要素に一体的に、第２フレーム要素に一体的に、及び／又はブリッジ部品に一体的に形成された受容要素に係止することによって嵌められる方法に関する。車両内においてシート構造物を所望の搭載空間構成に整合させるべく、必要なのはフレーム要素を一定長さに適切に切断することだけである一方、固定フックによるシート被覆材の単純、迅速かつ低コストの固定が、一体に成形され又は一体の形状にされた受容要素によって常に可能となる。すなわち、車両シートを、先行技術よりも柔軟にかつ安価に構成することができる。すなわち、車両シートを、先行技術よりも柔軟にかつ安価に構成することができる。
【００１７】
本発明はさらに、本発明に係る車両シートを製造する方法であって、第１方法ステップにおいて第１フレーム要素が利用可能とされ、第２方法ステップにおいて第１フレーム要素が一定長さに切断され及び／又は曲げられ、第４方法ステップにおいてシート被覆材が、当該シート被覆材に接続された固定フックを、第１フレーム要素に一体的に形成された受容要素に係止することによって嵌められる方法に関する。
【００１８】
本発明の好ましい実施形態によれば、第１及び／又は第２フレーム要素は、第１方法ステップにおいて、板状材料、特に金属板をロール成形及び／又はスタンピングすることによって中空断面体の形態に製造される。第１フレーム要素及び第２フレーム要素は、溶接法によって、好ましくはレーザ溶接又はシールドアーク溶接によって、ブリッジ要素に接続されることが考えられる。代替的に、接着剤結合も考えられる。
【００１９】
本発明のさらなる詳細、特徴及び利点を、図面において、及び当該図面を参照する好ましい実施形態の以下の説明において、見出すことができる。それにもかかわらず、図面は、本発明の例示の実施形態を示すに過ぎないので、本質的な発明概念を制限しない。
【図面の簡単な説明】
【００２０】
【図１】本発明の例示の実施形態に係るシート構造物の模式的な図を示す。
【図２】本発明の例示の実施形態に係るシート構造物を有する車両シートの模式的な詳細図を示す。
【図３】本発明のさらなる例示の実施形態に係るシート構造物の模式的な斜視図を示す。
【図４】本発明のさらなる例示の実施形態に係るシート構造物の模式的な詳細図を示す。
【図５】本発明のさらなる例示の実施形態に係る車両シートの模式的な図を示す。
【発明を実施するための形態】
【００２１】
様々な図面において、同じ部分は、すべての場合に同じ参照番号が与えられるので、いずれの場合も一般に、名付けられ及び言及されるのは一回のみである。
【００２２】
図１は、本発明の例示の実施形態に係るシート構造物１の模式的な斜視図及び模式的な平面図を例示する。考慮される例において、シート構造物１は、折り畳み後部シート席の水平方向着座面のための荷重支承ベース構造物として機能する。これには、車両シート５をなすクッション６及びシート被覆材７が設けられさえすればよい。
【００２３】
シート構造物１は、車両シート５のベース支持体として作用する第１フレーム要素２を含む。これを目的として、第１フレーム要素２は、製造される車両シートの外部形状に応じて形成され又は曲げられる。第１フレーム要素はこのようにして、特定の車両タイプにおいて利用可能な特定の搭載空間に整合させることができる。さらに、第１フレーム要素２は、所望の支持構成を得るべく、さらなるフレーム要素によってモジュラー式に拡張されることも考えられる。第１フレーム要素２は、板状材料をロール成形することによって製造される中空体を含む。中空体は、箱型セクションを含むことが考えられる。第１フレーム要素２は、少なくとも一部分に受容要素８が設けられる。受容要素８は、シート被覆材（図２参照）を固定するべく使用される。この配列において、受容要素８は、第１フレーム要素２に一体的に形成されるので、有利なことに、任意の追加フレーム部材要素によってシート被覆材７を固定する必要がなくなる。
【００２４】
図２は、図１に示された本発明の例示の実施形態に係る車両シート５の、シート構造物１の模式的な詳細図を示す。詳細図は部分的な例示であるが、板状材料の複数フランジをロールし、かつ、接合継ぎ目１０において一緒になるように接合することによって中空断面体が構成されることがわかる。この配列において、受容要素８は、接合継ぎ目１０の領域における板状材料のフランジの延長部によって形成される。当該延長部は、角度が付けられてフック形状受容要素８をもたらす。ここで、シート被覆材７を引き伸ばして第１フレーム要素２に固定するべく、シート被覆材７に強固に接続された固定フック９が、解放可能に受容要素８へとスナップ嵌めされる。クッション６はさらに、シート構造物１及びシート被覆材７間に配列される。固定フック９はベースプレート１４を含む。ベースプレート１４からは、フック留め要素１５が突出する。フック留め要素１５は、その自由端がベースプレート１４に対して平行に延びるように曲げられる。ベースプレート１４の一部が、板状材料のフランジの後ろに挿入される一方、フック留め要素１６は、フック形状受容要素８の後ろに係合する。これを目的として、フック留め要素１６及び受容要素８はそれぞれ、えぐれた切り込みを有する。シート被覆材７は、固定フック９により任意の所望箇所において第１フレーム要素２の中に係止することができる。これにより、シート構造物１だけでなく、シート被覆材７についてもモジュラー式に構成することができる。
【００２５】
図３は、本発明のさらなる例示の実施形態に係る車両シート５用のシート構造物１の、模式的な斜視図を示す。ここでもまた、図１によって示されたシート構造物１のように、シート構造物１は、折り畳み後部シート席の水平方向着座面のための荷重支承ベース構造物として機能する。これには、車両シート５をなすクッション６及びシート被覆材７が設けられさえすればよい。
【００２６】
シート構造物１は、複数の第１フレーム要素２及び複数の第２フレーム要素３を含む。第１及び第２フレーム要素２、３はブリッジ部品４により、シート構造物１のコーナー領域において互いに接続される。ブリッジ部品４はそれぞれ、一側が開口したクリップを含む。中空断面体として設計された第１及び第２フレーム要素２、３が、形状嵌めによって配列されて各ブリッジ部品４に溶接される。第１及び第２フレーム要素２、３はそれぞれが、互いに対して実質的に直角に整合される。第１フレーム要素２が完全に短手部材からなる一方、第２フレーム要素３は完全に長手部材からなることが考えられる。この場合、ブリッジ部品４をシート構造物１の各コーナーに配列して、第１及び第２フレーム要素２、３は、対応する第１及び第２フレーム要素２、３を接続するべく、互いに接続する必要がある。
【００２７】
第１及び第２フレーム要素２、３それぞれには、シート被覆材７の固定フック９が係止されるフック形状受容要素８が設けられる。フック形状受容要素８はいずれの場合も、第１及び第２フレーム要素２、３に一体的に形成される。
【００２８】
シート構造物１を構成するには、第１及び第２フレーム要素２、３は、所望の形状及び寸法を与えるように正確な長さに切断してブリッジ部品４に接合するだけでよい。このようにして、シート構造物１をモジュラー式に構成することが可能となるので、特定車両タイプの任意の所望搭載空間構成に対し、単純な態様で整合させることができる。それと同時に、個々のフレーム要素２、３の及びブリッジ部品４の設計を同一のままとして、多数の異なる設計のシート構造物１のために使用することができる。このようにして、シート構造物１及びそれに基づく車両シート５それぞれの製造コストを、先行技術よりも低減することができる。
【００２９】
図４は、図３に示された本発明のさらなる例示の実施形態に係るシート構造物１の、模式的な詳細図を示す。詳細図は、図１に示された第１又は第２フレーム要素２、３を貫通する断面を示す。これにはさらに、クッション６及びシート被覆材７がすでに設けられている。第１又は第２フレーム要素２、３は、板状材料をロール成形することによって製造された中空断面体であることがわかる。この配列において、中空断面体は、ロールされた板状材料が接合される接合継ぎ目１０を有する。本発明によれば、中空断面体は、板状材料のフランジが接合継ぎ目１０から突出して角度が付けられるように設計される。この突出しかつ角度が付けられたフランジが受容要素８を形成する。
【００３０】
車両シート５を製造するべく、シート構造物１には、クッション６、特に発泡体材料からなるクッションが設けられる。シート被覆材７（シートカバーとしても設計される）がその後、クッション６を覆うように引き伸ばされる。シート被覆材７は、車両シート５の下側において受容要素８に係止されるだけの固定フック９に接続される。これが意味するのは、シート被覆材７もまた、モジュラー設計として単純な態様で任意設計のシート構造物１に固定できるということである。
【００３１】
図５は、本発明のさらなる例示の実施形態に係る車両シート５の模式的な図を示す。車両シート５は、クッション６及びシート被覆材７によって覆われた上述のシート構造物１を有する。このように構成された着座面部分１１に加え、車両シート５は、バックレスト１２及びヘッドレスト１３を含む。バックレスト１２も同様に、上述のようにしてモジュラーシート構造物１から構成することが考えられる。代替的に、図５に示される車両シート５にもまた、図１に示されるシート構造物１を設けることができる。
【符号の説明】
【００３２】
１  シート構造物
２  第１フレーム要素
３  第２フレーム要素
４  ブリッジ部品
５  車両シート
６  クッション
７  シート被覆材
８  受容要素
９  固定フック
１０  接合継ぎ目
１１  着座面部分
１２  バックレスト
１３  ヘッドレスト
１４  ベースプレート
１５  フック留め要素
【図１】
2016529158.tif 000003
【図２】
2016529158.tif 000004
【図３】
2016529158.tif 000005
【図４】
2016529158.tif 000006
【図５】
2016529158.tif 000007
【手続補正書】
【提出日】平成28年3月23日(2016.3.23)
【手続補正２】
【補正対象書類名】特許請求の範囲
【補正対象項目名】全文
【補正方法】変更
【補正の内容】
【特許請求の範囲】
【請求項１】
車両シート（５）用のシート構造物（１）であって、
前記シート構造物（１）は、
少なくとも一つの第１フレーム要素（２）を有し、
前記少なくとも一つの第１フレーム要素（２）からモジュラー式に構成され、
モジュラー式のシート被覆材（７）に接続可能であり、
前記シート被覆材（７）を固定するための少なくとも一つのフック形状の受容要素（８）が前記第１フレーム要素（２）に一体的に形成されるシート構造物（１）。
【請求項２】
車両シート（５）用のシート構造物（１）であって、
前記シート構造物（１）は、互いに対して一定角度に配列された少なくとも一つの第１フレーム要素（２）及び少なくとも一つの第２フレーム要素（３）を含み、
前記シート構造物（１）はさらにブリッジ部品（４）を有し、
前記第１フレーム要素（２）及び前記第２フレーム要素（３）は前記ブリッジ部品（４）によって互いに接続され、
シート被覆材（７）を固定するための少なくとも一つのフック形状の受容要素（８）が、前記ブリッジ部品（４）に一体的に、前記第１フレーム要素（２）に一体的に、及び／又は前記第２フレーム要素（３）に一体的に形成されるシート構造物（１）。
【請求項３】
前記ブリッジ部品（４）は、第１及び第２フレーム要素（２、３）を互いに接続するコーナー接続器を含む請求項２に記載のシート構造物（１）。
【請求項４】
前記第１及び第２フレーム要素（２、３）は直角に整合され、
前記ブリッジ部品（４）は、前記第１及び第２フレーム要素（２、３）の端領域を受容するべく一側が開口したクリップを含む請求項３に記載のシート構造物（１）。
【請求項５】
前記第１フレーム要素（２）及び／又は前記第２フレーム要素（３）は中空断面体として設計される請求項１から４のいずれか一項に記載のシート構造物（１）。
【請求項６】
請求項５に記載のシート構造物（１）を製造する方法であって、
前記中空断面体は、金属板を含む曲がった板状材料から製造され、
前記中空断面体は、前記板状材料のロール成形及び／又はスタンピングによって作られる方法。
【請求項７】
前記板状材料のフランジには角度が付けられ、
角度が付けられた前記フランジは前記受容要素（８）を取り囲む請求項６に記載の方法。
【請求項８】
前記シート構造物（１）は、さらなる第１フレーム要素（２）、さらなる第２フレーム要素（３）、及び／又はさらなるブリッジ部品（４）を有する請求項１から５のいずれか一項に記載のシート構造物（１）。
【請求項９】
前記シート構造物（１）は、前記第１フレーム要素（２）、前記第２フレーム要素（３）、前記ブリッジ部品（４）、さらなる第１フレーム要素（２）、さらなる第２フレーム要素（３）、及び／又はさらなるブリッジ部品（４）からモジュラー式に構成される請求項８に記載のシート構造物（１）。
【請求項１０】
請求項１から５、８及び９のいずれか一項に記載のシート構造物（１）を有する車両シート（５）であって、
前記車両シート（５）はシート被覆材（７）を有し、
前記シート被覆材（７）は、少なくとも一つの固定フック（９）によって前記受容要素（８）の少なくとも一つに固定される車両シート（５）。
【請求項１１】
前記シート被覆材（７）及び前記シート構造物（１）間には発泡体クッション（６）の少なくとも一部が配列される請求項１０に記載の車両シート（５）。
【請求項１２】
請求項１０又は１１のいずれかに記載された車両シート（５）を製造する方法であって、
第１方法ステップにおいて第１フレーム要素（２）が利用可能とされ、
第２方法ステップにおいて前記第１フレーム要素（２）が一定長さに切断され及び／又は曲げられ、
第３方法ステップにおいてシート被覆材（７）が、前記シート被覆材（７）に接続された固定フック（９）を、前記第１フレーム要素（２）に一体的に形成された受容要素（８）に係止することによって嵌められる方法。
【請求項１３】
請求項１０又は１１のいずれかに記載された車両シート（５）を製造する方法であって、
第１方法ステップにおいて第１フレーム要素（２）及び第２フレーム要素（３）が利用可能とされ、
第２方法ステップにおいて前記第１フレーム要素（２）及び／又は前記第２フレーム要素（３）は一定長さに切断され、
第３方法ステップにおいて前記第１フレーム要素（２）及び前記第２フレーム要素（３）は互いに一定角度をなして、ブリッジ部品（４）によって接続され、
第４方法ステップにおいてシート被覆材（７）が、前記シート被覆材（７）に接続された固定フック（９）を、前記第１フレーム要素（２）に一体的に、前記第２フレーム要素（３）に一体的に、及び／又は前記ブリッジ部品（４）に一体的に形成された受容要素（８）に係止することによって嵌められる方法。
【請求項１４】
前記第１及び／又は第２フレーム要素（２、３）は、第１方法ステップにおいて板状材料をロール成形及び／又はスタンピングすることによって中空断面体の形態に製造される請求項１２又は１３に記載の方法。
【国際調査報告】
2016529158.tif 000008
2016529158.tif 000009
2016529158.tif 000010
2016529158.tif 000011